(57)【特許請求の範囲】
【請求項１】
屋根隅棟部（Ｘ）の下地となる隣接二面の屋根下地材（１００）に対してそれぞれ取り付けられる一対の基板材（２）と、これら各基板材（２）の上部を屋根隅棟部（Ｘ）に沿って覆う状態で設けられるキャップ材（３）とを有し、基板材（２）とキャップ材（３）との上下間に上記各屋根下地材（１００）上に施工される屋根材（１０７）の側縁部を差し込み可能とする屋根流れ方向に沿った横溝（５）が形成されている隅棟役物において、
基板材（２）は、屋根下地材（１００）に対して面接触状態で取り付ける取付板（６）と、取付板（６）における上端側の端部で立ち上がる水返し板（７）と、この水返し板（７）の上端部から取付板（６）側へ平行させるように折り返された係合片（８）とを有し、
キャップ材（３）は、基板材（２）の水返し板（７）及び係合片（８）を上側から覆い取付板（６）との間に所定奥行きの横溝（５）を形成する一対の庇板（１４）と、この庇板（１４）の先端側でＵターン状に折り返されて形成され係合片（８）の全体を下側から覆う接合片（１５）とを有し、
両側の基板材（２）とキャップ材（３）とが予め別体で形成され、
係合片（８）と接合片（１５）とが互いに重合し、且つ接合片（１５）の先端が係合片（８）の基部に達するように係合片（８）と接合片（１５）とを係合させた状態で、施工前に両側の基板材（２）とキャップ材（３）とが、接着、溶接、カシメ又はネジ止めにより互いに結合されていることを特徴とする隅棟役物。
【請求項２】
屋根隅棟部（Ｘ）の下地となる隣接二面の屋根下地材（１００）に対して、請求項１記載の隅棟役物（１）がその両基板材（２）を両側の屋根下地材（１００）に跨らせた状態で取り付けられ、これら各基板材（２）とその上部のキャップ材（３）との上下間に設けられた屋根流れ方向に沿った横溝（５）に対して各屋根下地材（１００）上に施工される屋根材（１０７）の側縁部が差し込まれていることを特徴とする隅棟役物仕様の隅棟部構造。
【発明の詳細な説明】
【０００１】
【発明の属する技術分野】
本発明は、隅棟役物及び隅棟役物仕様の隅棟部構造に関するものである。
【０００２】
【従来の技術】
図４に示すような屋根の隅棟部Ｘに対し、その納まり処理として採用される隅棟部構造には、隅棟役物仕様とされたもの（板金製の「隅棟役物」を用いて施工したもの）がある。またこの他の隅棟部構造には、板金製の「棟包」を用いた棟包仕様や、板金製の「棟コーナー」を用いた棟コーナー仕様等がある。
図５は隅棟役物仕様の隅棟部構造を示している。この構造では、野地板等によって形成された屋根下地材１００のうち、屋根隅棟部Ｘの下地となる部分（隣接二面）に対し、まずアスファルトルーフィン等の防水シート１０２を張り付けたうえでこの屋根隅棟部Ｘに対応させて隅棟役物１０３を取り付ける。
【０００３】
この隅棟役物１０３は、隣接状態で二面ある屋根下地材１００に対しそれぞれに面接触状態で取り付ける一対の基板材１０４と、これら各基板材１０４の上部を屋根隅棟部Ｘに沿って覆う状態で設けられるキャップ材１０５とが互いに一体形成されたものである。
そしてこの隅棟役物１０３では、各基板材１０４とキャップ材１０５との上下間に屋根流れ方向に沿った横溝１０６が形成されている。この横溝１０６は、屋根材１０７の側縁部を差し込むためのものである。
【０００４】
このような隅棟役物１０３を屋根下地材１００上へ取り付けた後は、この隅棟役物１０３における両側の横溝１０６に対してそれぞれ屋根材１０７の側縁部を差し込むようにしつつ、屋根材１０７を屋根流れ方向の下位側から上位側へと葺き上げてゆく。
なお、隅棟役物１０３は長尺物であり、屋根隅棟部Ｘに沿って面一状に通った外観が得られる。
一方、図６は棟包仕様の隅棟部構造を示している。この構造では、屋根下地材１００に対して防水シート１０２を張り付けた後、続けて屋根材１０７の葺き上げを先に行ってしまう。
【０００５】
このとき、屋根隅棟部Ｘにおいて隣接する屋根材１０７相互間には隙間１０８が開いた、ある程度ラフな仕上げとしてもよいとされる。そして、屋根材１０７による屋根隅棟部Ｘ上へ笠木１１０を取り付け、次にこれら笠木１１０上に防水シート１１１を張り付け、そのうえで棟包１１２を被せるという施工を行う。
なお、この棟包１１２も長尺物であり、屋根隅棟部Ｘに沿って面一状に通った外観が得られる。
更に、図７は棟コーナー仕様の隅棟部構造を示している。この構造でもまず屋根下地材１００に対して防水シート１０２を張り付けた後、続けて屋根材１０７の葺き上げを行ってしまう。
【０００６】
但し、このとき屋根隅棟部Ｘでは隣接する屋根材１０７（隅棟板と呼ばれる隅棟専用の屋根材を用いることもある）相互間に隙間が生じることなく、綺麗に突き合わせ状態が得られるように、各屋根材１０７（＝隅棟板）を慎重に、所定角度で切断する作業を並行させる。そして、このようにして突き合わせ状にした屋根材１０７による屋根隅棟部Ｘ上へ棟コーナー１１４を取り付けるといった施工を行う。
この棟コーナー１１４は隅棟役物１０３や棟包１１２とは異なって短尺物であり、屋根隅棟部Ｘに沿いつつ各屋根材１０７の働き長さに合わせて個々に段差が生じた外観（即ち、各屋根材１０７の下端辺によってできる横方向の段差ライン（図４中の符号Ｙ参照）が屋根隅棟部Ｘにも繋がった状態で現れる外観）が得られる。
【０００７】
【発明が解決しようとする課題】
従来の隅棟部構造のうち、棟包仕様（図６参照）では、笠木１１０が必要であることから施工がやや面倒となり、また必然的にコスト面にも反映したものとなっている。そのうえ、棟包１１２による膨出が大きく屋根全体の中で顕著な存在となるために外観的に敬遠されるということがあった。
また、棟コーナー仕様（図７参照）では、数多くの棟コーナー１１４を必要とすることから施工が面倒且つ複雑なものとなり、また個々の棟コーナー１１４が複雑な曲げ構造を有していることからコスト的にも相当に高騰化するものであったので、汎用型の一般住宅等では敬遠される傾向があった。
【０００８】
これらに対し、隅棟役物仕様（図５参照）では施工性に優れ、また外観的にも他仕様のものに比して良好であるという一面を有している。ところが、この隅棟役物仕様で用いる隅棟役物１０３は、図５からも明らかなようにその断面構造において、基板材１０４とキャップ材１０５とを有した複雑な曲げになっている。
そのため、この隅棟役物１０３自体によるコスト高の問題があった。
なお、この隅棟役物１０３は屋根材１０７によって隠される部分（基板材１０４や横溝１０６の形成部分など）を多く含むため、屋根材１０７とは外観が異質となることを承知のうえで低廉な材料（例えば同系色であるとしても違和感のある材料）を用い、コスト高を可及的に抑制していたが、このことが屋根全体としての外観性に悪影響を及ぼしていることは否めなかった。
【０００９】
本発明は、上記事情に鑑みてなされたものであって、隅棟役物仕様の隅棟部構造としての施工性に優れた利点を活かしつつ、更に低コスト化が図れ、また外観性においても良好となる隅棟役物及び隅棟役物仕様の隅棟部構造を提供することを目的とする。
【００１０】
【課題を解決するための手段】
前記目的を達成するために、本発明は次の手段を講じた。
すなわち、本発明に係る隅棟役物は、屋根隅棟部の下地となる隣接二面の屋根下地材に対してそれぞれ取り付けられる一対の基板材と、これら各基板材の上部を屋根隅棟部に沿って覆う状態で設けられるキャップ材とを有している。
また、基板材とキャップ材との上下間には屋根流れ方向に沿った横溝が形成されており、この横溝には、隣接二面の各屋根下地材上に対して施工される屋根材の側縁部を差し込むことができる。
【００１１】
そして、基板材は、屋根下地材に対して面接触状態で取り付ける取付板と、取付板における上端側の端部で立ち上がる水返し板と、この水返し板の上端部から取付板側へ平行させるように折り返された係合片とを有し、キャップ材は、基板材の水返し板及び係合片を上側から覆い取付板との間に所定奥行きの横溝を形成する一対の庇板と、この庇板の先端側でＵターン状に折り返されて形成され係合片の全体を下側から覆う接合片とを有し、両側の基板材とキャップ材とが予め別体で形成され、係合片と接合片とが互いに重合し、且つ接合片の先端が係合片の基部に達するように係合片と接合片とを係合させた状態で、施工前に両側の基板材とキャップ材とが、接着、溶接、カシメ又はネジ止めにより互いに結合されている。
【００１２】
このような構成であると、各基板材及びキャップ材の三者は、互いに別々に形成されるものとなって、それぞれの断面構造が簡潔なものとなり、従って製造の容易なものとなる。このため、全体を一体で形成させるのに比べて格段に低廉に形成させることができる。
また、このように各基板材とキャップ材とを各別に形成できるため、それぞれに使用する材料を別々に選択することができる。すなわち、基板材には強度が十分であり且つ低廉であることを重視した材料を採用し、キャップ材には屋根材に対して外観的に適合することを重視した材料（同系色や同質材等とすることに限らない）を採用するといったことができる。
【００１３】
そのため、この隅棟役物と屋根材との外観的なバランスを適合させて、屋根全体としての外観を高めることができる。
なお、基板材とキャップ材とは互いの組み合わせを適宜選択して結合させる構造となっているから、使用される屋根材の種類等に応じて、それぞれ外観的に適合する複数種のキャップ材を予め形成させておけば、これによって簡単に複数種の隅棟役物を製作準備させることができることになる。
一方、本発明に係る隅棟役物仕様の隅棟部構造では、屋根隅棟部の下地となる隣接二面の屋根下地材に対して、本発明に係る隅棟役物がその両基板材を両側の屋根下地材に跨らせた状態で取り付けられ、これら各基板材とその上部のキャップ材との上下間に設けられた屋根流れ方向に沿った横溝に対して各屋根下地材上に施工される屋根材の側縁部が差し込まれている。
【００１４】
このようなことから、施工性に優れ、低コスト化が図れ、外観性において良好となるといった各目的を達成することができる。
【００１５】
【発明の実施の形態】
以下、本発明の実施の形態を、図面に基づき説明する。
図１乃至図３は、本発明に係る隅棟役物１の一実施形態を示している。
この隅棟役物１は、隅棟役物仕様の屋根隅棟部（図５に対応するもの）を施工するうえで使用するものであって、屋根隅棟部（図４中の符号Ｘ参照）の長手方向に沿って所定長さを有して形成されている。
この隅棟役物１は、一対の基板材２とキャップ材３とを有している。
【００１６】
各基板材２は、屋根隅棟部Ｘの下地となる隣接二面の屋根下地材（図５中の符号１００参照）に対してそれぞれ対応させて取り付けられるものであり、またキャップ材３は、上記の両基板材２に対して、それらの上部を屋根隅棟部Ｘに沿って覆う状態で設けられるものである。
そして、両側の基板材２とキャップ材３との上下間には、屋根流れ方向に沿った横溝５が形成されており、この横溝５に対して屋根材（図５中の符号１０７参照）の側縁部を差し込むことができるようになっている。
【００１７】
本発明に係る隅棟役物１では、両側の基板材２とキャップ材３とが予め別体で形成されており、これらが結合されたものとなっている。
基板材２は、強度面を重視し、また好ましくは低廉である材料によって形成されている。具体的には、例えばアルミやステンレス等の耐蝕性金属板や耐食処理を施した薄鋼板、或いは硬質樹脂板等を採用することができる。
この基板材２は、屋根下地材１００に対して面接触状態で取り付ける取付板６と、この取付板６における上端側の端部で立ち上がる水返し板７と、この水返し板７の上端部から取付板６側へ平行させるように折り返された係合片８とを有している。
【００１８】
取付板６には、屋根材１０７用の支持突起１０や折り返し端１１等が設けられている。これら支持突起１０や折り返し端１１は、取付板６としての剛性アップにも繋がっている。
このような簡潔な断面構造を有した基板材２は、製造が容易であり、それだけ低コスト化が可能である。
これに対し、キャップ材３は、耐候性、耐蝕性、強度等についてそれぞれ必要とされる特性を有していることはさることながら、外観性を重視した材料によって形成されている。
【００１９】
例えば、アルミ、ステンレス、薄鋼板を素材として各色に着色したものやコーティングしたものをはじめ、直線や曲線、波形等を基調とした着色模様、筋付け（凹凸）模様、その他の凹凸模様、カラーサンド塗装等を施したもの、或いはＦＲＰをはじめとするその他の樹脂材、屋根材１０７と同質又は異質の無機質材（セラミックや陶器、磁気等を含む）等によって形成されたものとすることができる。
このキャップ材３は、互いに所定間隔で背合わせ向きに配置される両側の基板材２に対して、それらの水返し板７を覆い、且つ取付板６との間に所定奥行きの横溝５を形成させることのできる一対の庇板１４を有している。
【００２０】
またこれら各庇板１４には、その先端側でＵターン状に折り返されることによって、基板材２の係合片８と係合される接合片１５が設けられている。
このようにして互いに別体で形成された一対の基板材２とキャップ材３との三者は、施工現場へと搬入される前において、基板材２の係合片８とキャップ材３の接合片１５とを係合させた状態で互いに結合される。
この結合は、接着によるものでもよいし、溶接やカシメ、ネジ止めなど、何によるものでもよい。なお、基板材２とキャップ材３との結合方法によっては、基板材２の係合片８やキャップ材３の接合片１５は、その形状を変更させたり省略させたりすることも可能である。
【００２１】
ここにおいて、キャップ材３は、屋根材１０７と外観的に釣り合うことを観点として選出され、各基板材２と組み合わせるようにしている。
このような構成の隅棟役物１を用いて隅棟役物仕様の隅棟部構造を施工するには、屋根下地材１００のうち、屋根隅棟部Ｘの下地となる部分（隣接二面）に対して防水シート１０２を張り付け、そのうえでこの屋根隅棟部Ｘに対応させて隅棟役物１を取り付ける。
そしてこの隅棟役物１における両側の横溝５に対してそれぞれ屋根材１０７の側縁部を差し込むようにしつつ、屋根材１０７を屋根流れ方向の下位側から上位側へと葺き上げてゆく。
【００２２】
このようにして施工された屋根では、この隅棟役物１と屋根材１０７との外観的なバランスが違和感なく適合することによって、屋根全体としての外観が高められたものとなっている。
なお、キャップ材３はその材質や色彩、模様、凹凸形状等に関し、屋根材１０７の種類に応じてこれらと外観的に適合する複数種のものを製作したうえで、それぞれ基板材２と結合したものとして予め準備しておけばよいものである。
ところで、本発明は、上記実施形態に限定されるものではなく、実施の形態に応じて適宜変更可能である。
【００２３】
【発明の効果】
以上の説明から明らかなように、本発明に係る隅棟役物及び隅棟役物仕様の隅棟部構造では、隅棟役物仕様の隅棟部構造としての施工性に優れた利点を活かしつつ、更に低コスト化が図れ、また外観性においても良好となるといった利点があり、殊に、棟包仕様や棟コーナー仕様の隅棟部構造等を含め、従来におけるいずれの各隅棟部構造でも具備し得なかった総合評価的な面での効果をも具備するものとなっている。
【図面の簡単な説明】
【図１】  図３のＡ−Ａ線断面図である。
【図２】  図１に対する分解状態を示した正面断面図である。
【図３】  本発明に係る隅棟役物の一実施形態を示した斜視図である。
【図４】  屋根隅棟部を有する屋根を示した斜視図である。
【図５】  従来の隅棟役物仕様とされた隅棟部構造を示した正面断面図である。
【図６】  従来の棟包仕様とされた隅棟部構造を示した正面断面図である。
【図７】  従来の棟コーナー仕様とされた隅棟部構造を示した正面断面図である。
【符号の説明】
１    隅棟役物
２    基板材
３    キャップ材
５    横溝
１００    屋根下地材
１０７    屋根材
Ｘ    屋根隅棟部
【図１】
0004132974.tif 000002
【図２】
0004132974.tif 000003
【図３】
0004132974.tif 000004
【図４】
0004132974.tif 000005
【図５】
0004132974.tif 000006
【図６】
0004132974.tif 000007
【図７】
0004132974.tif 000008